(57)【特許請求の範囲】
【請求項１】
引き込みバー（１１）を有する軟質ゴム吸盤（１）と、前記軟質ゴム吸盤（１）の背面に装着されるベース（２）と、前記軟質ゴム吸盤（１）と前記ベース（２）との間に位置される戻しバネ（３）とを備える吸盤構造であって、前記引き込みバー（１１）の端部には、前記引き込みバー（１１）の２つの側へ向けて径方向に延出されるピンシャフト（１２）が設けられ、前記吸盤は、前記ピンシャフト（１２）を押圧することにより前記引き込みバー（１１）を駆動させて昇降させるための駆動装置（４）をさらに備え、
前記ベース（２）の中心は、前記引き込みバー（１１）を案内して軸方向に移動させるための中心案内穴（２１）を有し、対称な案内平面（２２）をその２つの側に有する案内支柱（２３）と、一対の対称な位置制限案内フランジ（２４）とが、前記中心案内穴（２１）の周囲で上方に突出され、それにより、前記案内平面（２２）と前記位置制限案内フランジ（２４）との間に案内溝（２５）が形成され、前記案内支柱（２３）は、該案内支柱の２つの側で対称な前記案内平面（２２）に対して垂直で軸方向に沿って延在されるピンシャフト昇降案内溝（２６）をさらに有し、前記ピンシャフト（１２）の２つの端部は前記ピンシャフト昇降案内溝（２６）内に隠され、
前記駆動装置（４）は、前記ベース（２）に装着される押圧スイッチ（４１）と、該押圧スイッチ（４１）と接続されて支持部材を有する駆動スライドカバー（５）とを含み、前記押圧スイッチ４１の中心は細長い案内穴（４２）を有し、該細長い案内穴（４２）の２つの対称な側のそれぞれには、上端部支持面と下端部支持面とを有する傾斜段部（４３）が設けられ、前記押圧スイッチ（４１）は、該押圧スイッチ（４１）が前記案内溝（２５）内で案内されるように、前記細長い案内穴（４２）を通じて前記案内支柱（２３）にスライド可能な協働態様で嵌め付けられ、
前記引き込みバー（１１）は、前記ピンシャフト（１２）の２つの端部が同時に前記傾斜段部（４３）内に隠されるように、前記ベース（２）の前記中心案内穴（２１）と前記押圧スイッチ（４１）の中心とを通じて延在され、前記押圧スイッチ（４１）が前記駆動スライドカバー（５）によって駆動されて径方向で前後にスライドすると、前記ピンシャフト（１２）が、前記傾斜段部（４３）に沿って昇降されて、前記傾斜段部（４３）の前記上端部支持面上および前記下端部支持面上のそれぞれで停止されることができ、それにより、前記引き込みバー（１１）が昇降駆動されて、前記軟質ゴム吸盤（１）が駆動され、その結果、吸着状態と解放状態とが得られる、吸盤構造。
【請求項２】
前記押圧スイッチ（４１）の底面の前端および後端のそれぞれに凹部（４４）が形成され、前記駆動スライドカバー（５）の前底縁および後底縁のそれぞれの内壁に鉤部（５１）が設けられ、前記鉤部（５１）と前記凹部（４４）とのセルフロックでのスナップフィットによって前記駆動スライドカバー（５）が前記押圧スイッチ（４１）と接続される請求項１に記載の吸盤構造。
【請求項３】
前記傾斜段部（４３）の前記上端部支持面および前記下端部支持面において、前記上端部支持面（４５）が凹面であるとともに、前記下端部支持面（４６）が平坦面である請求項１に記載の吸盤構造。
【請求項４】
前記駆動スライドカバー（５）の前記支持部材は上方に曲げられる平坦正方形フック（５２）である請求項１に記載の吸盤構造。
【請求項５】
前記軟質ゴム吸盤（１）は、前記引き込みバー（１１）と一体に接続される引き込み底部ディスク（１３）と、シリカゲル吸引クッション（１４）とを含み、前記引き込み底部ディスク（１３）は、吸盤本体を形成するために前記シリカゲル吸引クッション（１４）内に埋め込まれる請求項１に記載の吸盤構造。
【請求項６】
前記引き込み底部ディスク（１３）の外周縁には貫通穴が形成され、前記シリカゲル吸引クッション（１４）は、前記引き込み底部ディスク（１３）の前記外周縁が前記シリカゲル吸引クッション内に埋め込まれるように前記貫通穴に通される請求項５に記載の吸盤構造。
【請求項７】
前記軟質ゴム吸盤（１）、前記ベース（２）、前記押圧スイッチ（４１）、および、前記駆動スライドカバー（５）のそれぞれが正方形形状または円形形状を有する請求項１に記載の吸盤構造。
【請求項８】
前記戻しバネ（３）の位置を制限するための環状ボス（１５）が、前記軟質ゴム吸盤（１）の背面に設けられて、前記引き込みバー（１１）の周囲にある請求項１に記載の吸盤構造。
【請求項９】
前記駆動スライドカバー（５）には前記吸着状態または前記解放状態を示す移動方向マークが設けられ、前記吸着状態を示す移動方向マークは、前記傾斜段部（４３）の下向き傾斜方向と同じであり、一方、前記解放状態を示す移動方向マークは、前記傾斜段部（４３）の前記下向き傾斜方向と反対である請求項１に記載の吸盤構造。
【請求項１０】
前記ピンシャフト（１２）が前記中心案内穴（２１）内に装着されるように押圧するのを容易にするために、前記傾斜段部（４３）の前記下端部支持面（４６）に対応する側壁に切り欠き（４７）が形成される請求項１に記載の吸盤構造。
【発明の詳細な説明】
【技術分野】
【０００１】
本出願は、参照することによりその開示全体が本願に組み入れられる以下の中国特許出願の優先権の利益を主張する。
【０００２】
１）２０１２年６月１５日に中華人民共和国国家知識産権局に出願された「吸盤構造」と題する出願第２０１２２０２８５１７９．６号、および、
【０００３】
２）２０１３年２月４日に中華人民共和国国家知識産権局に出願された「吸盤構造」と題する出願第２０１３１００４４７５３．８号。
【０００４】
本出願は、取り付け用の吸引カップの分野に関し、特に吸盤構造に関する。
【背景技術】
【０００５】
従来技術の吸盤は、単純な構造を有し、低コストであるとともに、製造が容易であり、また、様々な分野で幅広く使用される。特に、我々の日常生活では、吸盤は、通常、物品を壁やガラスに吊り下げるのに使用される。１つの構造体は、引き込みバーを有する軟質ゴム吸盤と、軟質ゴム吸盤の背面に設けられるベースと、軟質ゴム吸盤とベースとの間に位置される戻しバネとを含み、構造体は、引き込みバーを昇降駆動させるための駆動装置と、シェルとをさらに含む。駆動装置は回転昇降駆動装置である。駆動装置がネジ昇降駆動装置であってもよく、また、このとき、引き込みバーはネジである。駆動装置はまた、回転ラダー型昇降駆動装置、例えば、「強力吸盤」と題する中国実用新案登録出願第２０１０２０５５５２７６．３号および「真空密閉された吸盤」と題する中国特許出願第２０１１１０００６０６１．５号に開示される吸盤構造であってもよく、このとき、引き込みバーの２つの側のそれぞれは、径方向に延出されるピンシャフトを有し、ピンシャフトは回転ラダー支持体によって昇降駆動される。これらの構造体の欠点は、構造が複雑であり、大きな回転力が必要とされ、不十分な回転に起因して引き込みバーを適所で上下に移動させることができず、したがって、軟質ゴム吸盤の吸着が強固ではなく、あるいは、軟質ゴム吸盤を緩めるのが容易ではなく、そのため、吊り下げた物品が落下する虞があるという点である。
【発明の概要】
【発明が解決しようとする課題】
【０００６】
以上の欠点に基づき、本出願が解決すべき技術的課題は、強力な吸着力を有するとともに、長期間にわたって安定した吸着効果を有し、この構造により、吊り下げ物品が容易に落下せず、使い勝手がよく操作が容易な吸盤構造を提供することである。
【課題を解決するための手段】
【０００７】
上記の技術的課題を解決するために、本出願によれば、引き込みバー（１１）を有する軟質ゴム吸盤（１）と、軟質ゴム吸盤（１）の背面に装着されるベース（２）と、軟質ゴム吸盤（１）とベース（２）との間に位置される戻しバネ（３）とを含む吸盤構造が提供される。引き込みバー（１１）の端部には、引き込みバー（１１）の２つの側へ向けて径方向に延出されるピンシャフト（１２）が設けられる。吸盤は、ピンシャフト（１２）を押圧することにより引き込みバー（１１）を駆動させて昇降させるための駆動装置（４）をさらに含み、その場合、
【０００８】
ベース（２）の中心は、引き込みバー（１１）を案内して軸方向に移動させるための中心案内穴（２１）を有し、対称な案内平面（２２）をその２つの側に有する案内支柱（２３）と、一対の対称な位置制限案内フランジ（２４）とが、中心案内穴（２１）の周囲で上方に突出され、それにより、案内平面（２２）と位置制限案内フランジ（２４）との間に案内溝（２５）が形成され、案内支柱（２３）は、該案内支柱の２つの側の対称な案内平面（２２）に対して垂直で軸方向に沿って延在されるピンシャフト昇降案内溝（２６）をさらに有し、ピンシャフト（１２）の２つの端部はピンシャフト昇降案内溝（２６）内に隠され、
【０００９】
駆動装置（４）は、ベース（２）に装着される押圧スイッチ（４１）と、該押圧スイッチ（４１）と接続されて支持部材を有する駆動スライドカバー（５）とを含み、押圧スイッチ（４１）の中心は細長い案内穴（４２）を有し、この細長い案内穴（４２）の２つの対称な側のそれぞれには、上端部支持面と下端部支持面とを有する傾斜段部（４３）が設けられ、押圧スイッチ（４１）は、該押圧スイッチ（４１）が案内溝（２５）内で案内されるように、細長い案内穴（４２）を通じて案内支柱（２３）にスライド可能な協働態様で嵌め付けられ、また、
【００１０】
引き込みバー（１１）は、ピンシャフト（１２）の２つの端部が同時に傾斜段部（４３）内に隠されるように、ベース（２）の中心案内穴（２１）と押圧スイッチ（４１）の中心とを通じて延在され、押圧スイッチ（４１）が駆動スライドカバー（５）によって駆動されて径方向で前後にスライドすると、ピンシャフト（１２）が、傾斜段部（４３）に沿って昇降されて、傾斜段部（４３）の上端部支持面上および下端部支持面上のそれぞれで停止されることができ、それにより、引き込みバー（１１）が昇降駆動されて、軟質ゴム吸盤（１）が駆動され、その結果、吸着状態と解放状態とが得られる。
【００１１】
好ましくは、押圧スイッチ（４１）の底面の前端および後端のそれぞれに凹部（４４）が形成され、駆動スライドカバー（５）の前底縁および後底縁のそれぞれの内壁に鉤部（５１）が設けられ、鉤部（５１）と凹部（４４）とのセルフロックでのスナップフィットによって駆動スライドカバー（５）が押圧スイッチ（４１）と接続される。
【００１２】
好ましくは、傾斜段部（４３）の上端部支持面および下端部支持面において、上端部支持面（４５）が凹面であるとともに、下端部支持面（４６）が平坦面である。
【００１３】
好ましくは、駆動スライドカバー（５）の支持部材が上方に曲げられる平坦正方形フック（５２）である。
【００１４】
好ましくは、軟質ゴム吸盤（１）は、引き込みバー（１１）と一体に接続される引き込み底部ディスク（１３）と、シリカゲル吸引クッション（１４）とを含み、引き込み底部ディスク（１３）は、吸盤本体を形成するためにシリカゲル吸引クッション（１４）内に埋め込まれる。
【００１５】
好ましくは、引き込み底部ディスク（１３）の外周縁には貫通穴が形成され、シリカゲル吸引クッション（１４）は、引き込み底部ディスク（１３）の外周縁がシリカゲル吸引クッション内に埋め込まれるように該貫通穴に通される。
【００１６】
好ましくは、軟質ゴム吸盤（１）、ベース（２）、押圧スイッチ（４１）、および、駆動スライドカバー（５）のそれぞれが正方形形状または円形形状を有する。
【００１７】
好ましくは、戻しバネ（３）の位置を制限するための環状ボス（１５）が、軟質ゴム吸盤（１）の背面に設けられて、引き込みバー（１１）の周囲にある。
【００１８】
好ましくは、駆動スライドカバー（５）には吸着状態または解放状態を示す移動方向マークが設けられ、吸着状態を示す移動方向マークは、傾斜段部（４３）の下向き傾斜方向と同じであり、一方、解放状態を示す移動方向マークは、傾斜段部（４３）の下向き傾斜方向と反対方向である。
【００１９】
好ましくは、ピンシャフト（１２）が中心案内穴（２１）内に装着されるように押圧するのを容易にするために、傾斜段部（４３）の下端部支持面（４６）に対応する側壁に切り欠き（４７）が形成される。
【００２０】
従来技術と比べて、本発明に係る吸盤構造では、傾斜段部押圧型駆動装置が使用されるので、駆動スライドカバーの作用下で、押圧スイッチが駆動されて径方向の前後にスライドし、引き込みバーの端部のピンシャフトを吸盤の中心で傾斜段部により押し上げて押し下げることが容易であり、ピンシャフトが傾斜段部に沿って昇降されるとともに、ピンシャフトを傾斜段部の上端部支持面および下端部支持面のそれぞれで停止させることができる。それにより、引き込みバーが昇降駆動されて、軟質ゴム吸盤が吸着状態および解放状態になるように駆動される。押圧スイッチがセルフロック状態になるまで押圧することは容易である。同時に、ベースは、軟質ゴム吸盤のための背面支持体としての機能を果たすだけでなく、押圧スイッチのためのスライドシートとしての機能も果たす。ベースはまた、吸盤の本体のシェルとしての機能を果たしてもよい。吸盤全体の外観は、様々な形状、例えば、正方形形状、円形状、楕円形状、または、多角形形状を有してもよい。それにより、そのような吸盤を用いると、設置環境が整然とし、美しくなり、手厚くなり、吸着力が高められ、吸着効果が安定するとともに、吊り下げ物品が容易に落下せず、操作がより単純でより容易となり、構造が単純で美しい。
【図面の簡単な説明】
【００２１】
【図１】本出願に係る吸盤の正面図である。
【００２２】
【図２】図１の左側面図である。
【００２３】
【図３】図１の背面図である。
【００２４】
【図４】図１の平面図である。
【００２５】
【図５】図１の方向Ａ−Ａに沿う断面図である。
【００２６】
【図６】図１の方向Ｂ−Ｂに沿う断面図である。
【００２７】
【図７】軟質ゴム吸盤が解放状態にある、本出願に係る吸盤の正面図である。
【００２８】
【図８】本出願に係る吸盤の軟質ゴム吸盤が解放状態にあるときの押圧スイッチとピンシャフトとの間の関係を示す正面図である。
【００２９】
【図９】図８の方向Ｃ−Ｃに沿う断面図である。
【００３０】
【図１０】軟質ゴム吸盤が吸着状態にある、本出願に係る吸盤の正面図である。
【００３１】
【図１１】本出願に係る吸盤の軟質ゴム吸盤が吸着状態にあるときの押圧スイッチとピンシャフトとの間の関係を示す正面図である。
【００３２】
【図１２】図１１の方向Ｄ−Ｄに沿う断面図である。
【００３３】
【図１３】本出願に係る吸盤の押圧スイッチの正面図である。
【００３４】
【図１４】図１３の左側面図である。
【００３５】
【図１５】図１３の平面図である。
【００３６】
【図１６】図１５の方向Ｅ−Ｅに沿う断面図である。
【００３７】
【図１７】図１３の底面図である。
【００３８】
【図１８】本出願に係る吸盤の押圧スイッチの斜視図である。
【００３９】
【図１９】本出願に係る吸盤のベースの正面図である。
【００４０】
【図２０】図１９の左側面図である。
【００４１】
【図２１】図１９の平面図である。
【００４２】
【図２２】図２１の方向Ｆ−Ｆに沿う断面図である。
【００４３】
【図２３】図２１の方向Ｇ−Ｇに沿う断面図である。
【００４４】
【図２４】本出願に係る吸盤のベースの斜視図である。
【００４５】
【図２５】本出願に係る吸盤の軟質ゴム吸盤の正面図である。
【００４６】
【図２６】図２５の左側面図である。
【００４７】
【図２７】図２５の平面図である。
【００４８】
【図２８】図２７の方向Ｈ−Ｈに沿う断面図である。
【００４９】
【図２９】図２７の方向Ｉ−Ｉに沿う断面図である。
【００５０】
【図３０】本出願に係る吸盤の軟質ゴム吸盤の斜視図である。
【００５１】
【図３１】本出願に係る吸盤の駆動スライドカバーの正面図である。
【００５２】
【図３２】図３１の左側面図である。
【００５３】
【図３３】図３１の平面である。
【００５４】
【図３４】図３３の方向Ｊ−Ｊに沿う断面図である。
【００５５】
【図３５】図３３の方向Ｋ−Ｋに沿う断面図である。
【００５６】
【図３６】図３１の底面図である。
【００５７】
【図３７】本出願に係る吸盤の駆動スライドカバーの斜視図である。
【００５８】
【図３８】本出願に係る吸盤の斜視図である。
【００５９】
【図３９】本出願に係る吸盤の組み込み構造の分解図である。
【００６０】
【図４０】本出願に係る吸盤の形状が正方形であることを示す正面図である。
【００６１】
【図４１】図４０の左側面図である。
【００６２】
【図４２】図４０の背面図である。
【００６３】
【図４３】図４０の底面図である。
【００６４】
【図４４】図４０の平面図である。
【００６５】
【図４５】図４４の方向Ｌ−Ｌに沿う断面図である。
【００６６】
【図４６】図４４の方向Ｍ−Ｍに沿う断面図である。
【００６７】
【図４７】本出願に係る吸盤の形状が正方形であるときの軟質ゴム吸盤の解放状態を示す正面図である。
【００６８】
【図４８】本出願に係る吸盤の形状が正方形であるときの軟質ゴム吸盤の解放状態における押圧スイッチとピンシャフトとの間の関係を示す正面図である。
【００６９】
【図４９】図４８の方向Ｎ−Ｎに沿う断面図である。
【００７０】
【図５０】本出願に係る吸盤の形状が正方形であるときの軟質ゴム吸盤の吸着状態を示す正面図である。
【００７１】
【図５１】本出願に係る吸盤の形状が正方形であるときの軟質ゴム吸盤の吸着状態における押圧スイッチとピンシャフトとの間の関係を示す正面図である。
【００７２】
【図５２】図５１の方向Ｏ−Ｏに沿う断面図である。
【００７３】
【図５３】本出願に係る吸盤の形状が正方形であるときの押圧スイッチの正面図である。
【００７４】
【図５４】図５３の左側面図である。
【００７５】
【図５５】図５３の平面図である。
【００７６】
【図５６】図５５の方向Ｐ−Ｐに沿う断面図である。
【００７７】
【図５７】図５３の底面図である。
【００７８】
【図５８】本出願に係る吸盤の形状が正方形であるときの押圧スイッチの斜視図である。
【００７９】
【図５９】本出願に係る吸盤の形状が正方形であるときのベースの正面図である。
【００８０】
【図６０】図５９の左側面図である。
【００８１】
【図６１】図５９の平面図である。
【００８２】
【図６２】図６１の方向Ｑ−Ｑに沿う断面図である。
【００８３】
【図６３】図６１の方向Ｒ−Ｒに沿う断面図である。
【００８４】
【図６４】図５９の底面図である。
【００８５】
【図６５】本出願に係る吸盤の形状が正方形であるときのベースの斜視図である。
【００８６】
【図６６】本出願に係る吸盤の形状が正方形であるときの軟質ゴム吸盤の正面図である。
【００８７】
【図６７】図６６の左側面図である。
【００８８】
【図６８】図６６の平面図である。
【００８９】
【図６９】図６８の方向Ｓ−Ｓに沿う断面図である。
【００９０】
【図７０】図６８の方向Ｔ−Ｔに沿う断面図である。
【００９１】
【図７１】図６６の底面図である。
【００９２】
【図７２】本出願に係る吸盤の形状が正方形であるときの軟質ゴム吸盤の組み込み構造の分解図である。
【００９３】
【図７３】本出願に係る吸盤の形状が正方形であるときの軟質ゴム吸盤の斜視図である。
【００９４】
【図７４】本出願に係る吸盤の形状が正方形であるときの駆動スライドカバーの正面図である。
【００９５】
【図７５】図７４の左側面図である。
【００９６】
【図７６】図７４の平面図である。
【００９７】
【図７７】図７６の方向Ｕ−Ｕに沿う断面図である。
【００９８】
【図７８】図７６の方向Ｖ−Ｖに沿う断面図である。
【００９９】
【図７９】図７４の底面図である。
【０１００】
【図８０】本出願に係る吸盤の形状が正方形であるときの駆動スライドカバーの斜視図である。
【０１０１】
【図８１】本出願に係る吸盤の形状が正方形であるときの斜視図である。
【０１０２】
【図８２】本出願に係る吸盤の形状が正方形であるときの組み込み構造の分解図である。
【発明を実施するための形態】
【０１０３】
本出願に係る技術的解決策を当業者がより良く理解できるように、技術的解決策を実施形態と併せて説明する。
【０１０４】
図１〜図８２に示されるように、本出願の一実施形態に係る吸盤は、引き込みバー１１を有する軟質ゴム吸盤１と、軟質ゴム吸盤１の背面に装着されるベース２と、軟質ゴム吸盤１とベース２との間に位置される戻しバネ３とを含む。引き込みバー１１の端部には、引き込みバーの２つの側へ向けて径方向に延出されるピンシャフト１２が設けられる。吸盤は、ピンシャフト１２を押圧することにより引き込みバー１１を駆動させて昇降させるための駆動装置４をさらに含む。ベース２の中心は、引き込みバー１１を案内して軸方向に移動させるための中心案内穴２１を有する。対称な案内平面２２をその２つの側に有する案内支柱２３と、一対の対称な位置制限案内フランジ２４とが、中心案内穴２１の周囲で上方に突出され、それにより、案内平面２２と位置制限案内フランジ２４との間に案内溝２５が形成される。案内支柱２３は、該案内支柱の２つの側の対称な案内平面２２に対して垂直で軸方向に沿って延在されるピンシャフト昇降案内溝２６をさらに有する。ピンシャフト１２の２つの端部は、ピンシャフト昇降案内溝２６内に隠される。駆動装置４は、ベース２に装着される押圧スイッチ４１と、押圧スイッチ４１と接続されて支持部材を有する駆動スライドカバー５とを含む。押圧スイッチ４１の中心は細長い案内穴４２を有し、また、細長い案内穴４２の２つの対称な側のそれぞれには、上端部支持面と下端部支持面とを有する傾斜段部４３が設けられる。押圧スイッチ４１は、該押圧スイッチ４１が案内溝２５内で案内されるように、細長い案内穴４２を通じて案内支柱２３にスライド可能な協働態様で嵌め付けられる。引き込みバー１１は、ピンシャフト１２の２つの端部が同時に傾斜段部４３内に隠されるように、ベース２の中心案内穴２１と押圧スイッチ４１の中心とを通じて延在される。押圧スイッチ４１が駆動スライドカバー５によって駆動されて径方向で前後にスライドすると、ピンシャフト１２が傾斜段部４３に沿って昇降されて、ピンシャフト１２を傾斜段部の上端部支持面上および下端部支持面上のそれぞれで停止させることができ、それにより、引き込みバー１１を昇降駆動させて、軟質ゴム吸盤１を駆動させることができ、その結果、吸着状態と解放状態とを得ることができる。
【０１０５】
戻しバネ３の位置を制限するための環状ボス１５が、軟質ゴム吸盤１の背面に設けられて、引き込みバー１１の周囲にある。
【０１０６】
ピンシャフト１２が中心案内穴２１内に装着されるように押圧するのを容易にするために、傾斜段部４３の下端部支持面に対応する側壁に切り欠き４７が形成されている。
【０１０７】
駆動スライドカバー５には吸着状態または解放状態を示す移動方向マークが設けられており、吸着状態を示す移動方向マークは、傾斜段部４３の下向き傾斜方向と同じであり、一方、解放状態を示す移動方向マークは、傾斜段部４３の下向き傾斜方向と反対方向である。
【０１０８】
本実施形態では、引き込みバー１１の端部にピン穴が設けられた後にピンシャフト１２が組み込まれてもよい。引き込みバー１１は、円形、正方形、または、多角形の支柱であってもよく、また、引き込みバー１１が軸方向にしかスライドできないように制限するために、ベース２の中心には、対応する正方形または多角形の中心案内穴２１が形成され、これにより、押圧スイッチ４１の径方向の前後移動によってピンシャフト１２が傾斜段部４３に沿って昇降されるプロセスで、引き込みバー１１の回転移動により引き起こされる不具合を減らすことができる。押圧スイッチ４１の押圧ストロークは、傾斜段部４３の２つの端部間でのピンシャフト１２の移動ストロークの要件を満たさなければならない。一方、傾斜段部４３の２つの端部支持面の高さ、および、２つの端部支持面間の高さの違いは、軟質ゴム吸盤１が最も大きい吸着力を有し、かつ引き込みバー１１が最も大きい昇降ストロークを有するということを同時に満たさなければならない。傾斜段部４３が緩やかであればあるほど、押圧スイッチ４１のストロークが長くなり、したがって、労力が少なくて済むが、ベース２がより大きくなる。したがって、傾斜段部４３の傾斜角は適切に選択されるべきである。一般に、傾斜角は１４°〜１８°であることが好ましい。軟質ゴム吸盤１と対向するベース２の内部キャビティは、吸着状態で軟質ゴム吸盤１の背面を支持するために吸着状態で軟質ゴム吸盤１の背面の形状に対応するラッパ形状の円錐面へと形成されてもよく、それにより、吸盤の固着が安定する。
【０１０９】
図５〜図６，図１３〜図１８，図３１〜図３６，図４５〜図４６，図５３〜図５８、および、図７４〜図７９に示されるように、本出願の好ましい実施形態のうちの１つは、押圧スイッチ４１の底面の前端および後端に同じ凹部４４が形成されるとともに、駆動スライドカバー５の前底縁および後底縁のそれぞれの内壁が鉤部５１を有し、鉤部５１と凹部４４とのスナップフィットのセルフロック式の協働によって駆動スライドカバー５が押圧スイッチ４１と接続されることである。本実施形態では、鉤部５１が一対のＬ形状の外方の返しであり、凹部４４の延在方向が駆動スライドカバー５および押圧スイッチ４１のスライド方向と同じであり、また、凹部４４の幅および鉤部５１の幅は、駆動スライドカバー５と押圧スイッチ４１とが強固に接続されるように、鉤部が凹部内に隠されて位置制限作用を果たすのにちょうど適するべく構成されるのが好ましい。あるいは、凹部が切り欠きに取って代えられてもよい。
【０１１０】
図１６〜図１８および図５６〜図５８に示されるように、本出願の第２の好ましい実施形態は、傾斜段部４３の上端部支持面および下端部支持面において、上端部支持面４５が凹面であるとともに、下端部支持面４６が平坦面であることである。本実施形態において、上端部支持面４５は、ピンシャフト１２が凹面内に隠されるときにピンシャフト１２が滑り落ちないように凹面となるべく構成され、それにより、吸盤のより良い吸着力が維持される。
【０１１１】
図１〜図７，図３１〜図３７，図４１〜図４７、および、図７４〜図８０に示されるように、本出願の第３の好ましい実施形態は、駆動スライドカバー５の支持部材が上方に曲げられる平坦正方形フック５２として構成されることである。本実施形態では、平坦正方形フック５２が上向きＬ形状フックであり、平坦な正方形形状が駆動スライドカバー５の押圧を容易にし、また、それはさらに美しくて手厚い。
【０１１２】
図６６〜図７３に示されるように、本出願の第４の好ましい実施形態は、軟質ゴム吸盤１が、引き込みバー１１と一体に接続される引き込み底部ディスク１３と、シリカゲル吸引クッション１４とを含むことである。引き込み底部ディスク１３は、吸盤本体を形成するためにシリカゲル吸引クッション１４内に埋め込まれる。引き込み底部ディスク１３の外周縁には貫通穴が形成され、また、シリカゲル吸引クッション１４は、引き込み底部ディスク１３の外周縁がシリカゲル吸引クッション内に埋め込まれるように貫通穴に通される。本実施形態では、引き込み底部ディスク１３がプラスチック材料から作られてもよく、また、引き込みバー１１が、金属またはプラスチック材料から作られてもよく、引き込み底部ディスク１３と一緒に射出成形されてもよく、また、その後、引き込み底部ディスクがシリカゲル吸引クッション内に埋め込まれ、吸盤本体が形成されるように鋳造によってシリカゲル吸引クッション１４が成形され、これにより、吸盤の吸着力がさらに安定になる。
【０１１３】
本出願の第５の好ましい実施形態は、軟質ゴム吸盤１、ベース２、押圧スイッチ４１、および、駆動スライドカバー５のそれぞれが正方形形状または円形形状を有することである。本実施形態では、図１〜図３９に示されるように、軟質ゴム吸盤１、ベース２、押圧スイッチ４１、および、駆動スライドカバー５のそれぞれが円形形状を有する。図４０〜図８２に示されるように、軟質ゴム吸盤１、ベース２、押圧スイッチ４１、および、駆動スライドカバー５のそれぞれは正方形形状を有する。上記構成要素は、楕円形形状または多角形形状等を有してもよい。上記形状の全てを有する吸盤は、整然とした、美しい、手厚い設置環境を成すことができる。
【０１１４】
本出願では、傾斜段部押圧型駆動装置により、駆動スライドカバー５の作用下で、押圧スイッチ４１が駆動されて径方向で前後にスライドし、引き込みバー１１の端部のピンシャフト１２を吸盤の中心で傾斜段部４３により押し上げおよび押し下げることが容易であり、ピンシャフト１２が傾斜段部４３に沿って昇降されるとともに、ピンシャフト１２を傾斜段部の上端部支持面および下端部支持面のそれぞれで停止させることができる。それにより、引き込みバー１１が昇降駆動されて、軟質ゴム吸盤１が吸着状態および解放状態へと駆動される。押圧スイッチ４１をセルフロック状態となるように最後まで押圧することは容易である。同時に、ベース２は、軟質ゴム吸盤のための背面支持体としての機能を果たすだけでなく、押圧スイッチ４１のためのスライドシートとしての機能も果たす。ベースはまた、吸盤の本体のシェルとしての機能を果たしてもよい。吸盤全体は、様々な形状、例えば、正方形形状、円形状、楕円形状、または、多角形形状を有してもよい。それにより、そのような吸盤を用いると、設置環境が整然とし、美しくなり、手厚くなり、吸着力が高められ、吸着効果が安定するとともに、吊り下げ物品が容易に落下せず、操作がより単純で容易となり、構造が単純で美しい。
【０１１５】
当業者は、前述した実施形態の説明に基づいて本出願を実現しあるいは実施できる。実施形態に対して多くの改変を成すことは当業者にとって明らかである。本明細書中に規定されている一般原理は、本出願の思想または範囲から逸脱することなく、他の実施形態で実現されてもよい。したがって、本出願は、本明細書中に例示された実施形態に限定されず、本明細書中に開示された原理および新規な特徴と整合する最も広い範囲によって規定されるべきである。
【図１】
0005642906.tif 000002
【図２】
0005642906.tif 000003
【図３】
0005642906.tif 000004
【図４】
0005642906.tif 000005
【図５】
0005642906.tif 000006
【図６】
0005642906.tif 000007
【図７】
0005642906.tif 000008
【図８】
0005642906.tif 000009
【図９】
0005642906.tif 000010
【図１０】
0005642906.tif 000011
【図１１】
0005642906.tif 000012
【図１２】
0005642906.tif 000013
【図１３】
0005642906.tif 000014
【図１４】
0005642906.tif 000015
【図１５】
0005642906.tif 000016
【図１６】
0005642906.tif 000017
【図１７】
0005642906.tif 000018
【図１８】
0005642906.tif 000019
【図１９】
0005642906.tif 000020
【図２０】
0005642906.tif 000021
【図２１】
0005642906.tif 000022
【図２２】
0005642906.tif 000023
【図２３】
0005642906.tif 000024
【図２４】
0005642906.tif 000025
【図２５】
0005642906.tif 000026
【図２６】
0005642906.tif 000027
【図２７】
0005642906.tif 000028
【図２８】
0005642906.tif 000029
【図２９】
0005642906.tif 000030
【図３０】
0005642906.tif 000031
【図３１】
0005642906.tif 000032
【図３２】
0005642906.tif 000033
【図３３】
0005642906.tif 000034
【図３４】
0005642906.tif 000035
【図３５】
0005642906.tif 000036
【図３６】
0005642906.tif 000037
【図３７】
0005642906.tif 000038
【図３８】
0005642906.tif 000039
【図３９】
0005642906.tif 000040
【図４０】
0005642906.tif 000041
【図４１】
0005642906.tif 000042
【図４２】
0005642906.tif 000043
【図４３】
0005642906.tif 000044
【図４４】
0005642906.tif 000045
【図４５】
0005642906.tif 000046
【図４６】
0005642906.tif 000047
【図４７】
0005642906.tif 000048
【図４８】
0005642906.tif 000049
【図４９】
0005642906.tif 000050
【図５０】
0005642906.tif 000051
【図５１】
0005642906.tif 000052
【図５２】
0005642906.tif 000053
【図５３】
0005642906.tif 000054
【図５４】
0005642906.tif 000055
【図５５】
0005642906.tif 000056
【図５６】
0005642906.tif 000057
【図５７】
0005642906.tif 000058
【図５８】
0005642906.tif 000059
【図５９】
0005642906.tif 000060
【図６０】
0005642906.tif 000061
【図６１】
0005642906.tif 000062
【図６２】
0005642906.tif 000063
【図６３】
0005642906.tif 000064
【図６４】
0005642906.tif 000065
【図６５】
0005642906.tif 000066
【図６６】
0005642906.tif 000067
【図６７】
0005642906.tif 000068
【図６８】
0005642906.tif 000069
【図６９】
0005642906.tif 000070
【図７０】
0005642906.tif 000071
【図７１】
0005642906.tif 000072
【図７２】
0005642906.tif 000073
【図７３】
0005642906.tif 000074
【図７４】
0005642906.tif 000075
【図７５】
0005642906.tif 000076
【図７６】
0005642906.tif 000077
【図７７】
0005642906.tif 000078
【図７８】
0005642906.tif 000079
【図７９】
0005642906.tif 000080
【図８０】
0005642906.tif 000081
【図８１】
0005642906.tif 000082
【図８２】
0005642906.tif 000083